(57)【要約】【課題】遊技機内に配置される電気制御回路部品の漏電等による故障や金属部品の錆び付き等を確実に防止することが可能となる遊技機を提供する。【解決手段】背面カバー部材１４の背面部前面側にソレノイドユニット６３、透明な各容器１５、各光拡散板６１、各ＬＥＤ基板６２、エアーポンプ５５、エアーチューブ７６、各排気チューブ７９、二股ストロー８０を配設して背面カバー部材ユニット６６を構成する。そして、前枠部材３１の各取付ボス４０に背面カバー部材ユニット６６の各貫通孔５０が対向するように配置して各貫通孔５０に螺子を挿入してネジ止めし、前面カバー部材１０を構成する。これにより、透明な各容器１５内に水滴を発生させた場合には、この発生した水滴を窓部１１周辺に設けられた透明な各カバー部材１６Ａ〜１６Ｄを介して見ることができる。【選択図】図５
2011045404.tif 000002
【特許請求の範囲】
【請求項１】
密閉可能な空間を有する透明な装飾部材と、
前記装飾部材の密閉可能な空間内の空気の圧力又は温度変化によって該空間内に水蒸気が飽和水蒸気量を超えて凝結した水滴を発生させる水滴発生手段と、
を備え、
前記装飾部材は、前記密閉可能な空間の少なくとも一部が遊技者側から視認可能に配設されていることを特徴とする遊技機。
【請求項２】
前記装飾部材は、遊技者側から視認可能な前記密閉可能な空間の内壁に親水性又は撥水性を有する所定形状の透明な図柄表示部を有することを特徴とする請求項１に記載の遊技機。
【発明の詳細な説明】
【技術分野】
【０００１】
本発明は、パチンコ機等の遊技機に関するものである。
【背景技術】
【０００２】
従来より、遊技機の前面側にて開閉可能となるように取り付けられた扉部に、透明な液体を収容する透明な容器を配置し、気泡を発生させる技術に関して種々提案されている。
例えば、下記特許文献１に記載されるスロットマシンは、筐体の前面に開閉自在に設けられたフロントドアの上部パネル部には、透明な液体を収容する透明な薄型の水槽が、液晶ディスプレイの前面に配置され、気泡が見えるように構成されている。また、フロントドアの中部パネル部の左右両側縁部には、一対の透明な液体を収容する長尺状の透明な水槽が、それぞれ演出用ランプの前面に配置され、気泡が見えるように構成されている。また、フロントドアの下部パネル部には、透明な液体を収容する透明な薄型の水槽が、演出用ランプの前面に配置され、気泡が見えるように構成されている。
【先行技術文献】
【特許文献】
【０００３】
【特許文献１】特開２００５−３４８７７５号公報（段落（００２４）〜（００５５）、図１〜図９）
【発明の概要】
【発明が解決しようとする課題】
【０００４】
しかしながら、上記特許文献１に記載されるスロットマシンの構成では、フロントドアの上部パネル部、中部パネル部、下部パネル部に設けられた各水槽に、製造工程で透明な液体を充填する際や、ホールで透明な液体を補充するときに、液体漏れ等によって周囲の電気制御回路部品の漏電等による故障や金属部品の錆び付き等が発生する虞がある。
【０００５】
そこで、本発明は、上述した問題点を解決するためになされたものであり、遊技機内に配置される電気制御回路部品の漏電等による故障や金属部品の錆び付き等を確実に防止することが可能となる遊技機を提供することを目的とする。
【課題を解決するための手段】
【０００６】
前記目的を達成するため請求項１に係る遊技機は、密閉可能な空間を有する透明な装飾部材と、前記装飾部材の密閉可能な空間内の空気の圧力又は温度変化によって該空間内に水蒸気が飽和水蒸気量を超えて凝結した水滴を発生させる水滴発生手段と、を備え、前記装飾部材は、前記密閉可能な空間の少なくとも一部が遊技者側から視認可能に配設されていることを特徴とする。
【０００７】
この請求項１に係る遊技機では、透明な装飾部材内に液体を充填する必要がないため、遊技機内に配置される電気制御回路部品の漏電等による故障や金属部品の錆び付き等を確実に防止することができる。また、透明な装飾部材の密閉空間内に水滴を発生させることによって、装飾部材よりも奥側を遊技者に見えにくくしたり、この水滴にフルカラーＬＥＤ光等を照射することによって種々の演出を行うことが可能となり、従来にない斬新な演出を行うことが可能となる。
【０００８】
また、請求項２に係る遊技機は、請求項１に記載の遊技機において、前記装飾部材は、遊技者側から視認可能な前記密閉可能な空間の内壁に親水性又は撥水性を有する所定形状の透明な図柄表示部を有することを特徴とする。
【０００９】
この請求項２に係る遊技機では、装飾部材の密閉可能な空間内に水滴を発生させた場合には、この空間の遊技者の視認可能な内壁に親水性又は撥水性を有する所定形状の図柄表示部を表示することが可能となる。このため、遊技状態等に合わせて水滴を発生させることによって、この水滴による演出を更に効果的に行うことが可能となる。
【図面の簡単な説明】
【００１０】
【図１】本実施形態に係るパチンコ機全体を示した正面図である。
【図２】パチンコ機の前面カバー部材を開いた状態を示す平面図である。
【図３】前面カバー部材を構成する前枠部材を示す正面図である。
【図４】前面カバー部材を構成する背面カバー部材を示す正面図である。
【図５】前面カバー部材の組立手順を示す斜視図である。
【図６】背面カバー部材ユニットを示す図で（Ａ）は平面図、（Ｂ）は正面図である。
【図７】各容器内に水滴を発生させる駆動制御を模式的に示す図である。
【発明を実施するための形態】
【００１１】
以下、本発明に係る遊技機をパチンコ機について具体化した一実施形態を図面を参照して詳細に説明する。
先ず、本実施形態に係るパチンコ機の全体構成について図１及び図２に基づき説明する。
図１及び図２に示すように、パチンコ機１は、木製の外枠２に対して木製の前枠３が、上ヒンジ４及び下ヒンジ５を介して外枠２に対して開閉自在に取り付けられている。そして、この前枠３のほぼ上半分の前側には、樹脂製の前面カバー部材１０が左端縁部の上下を軸支されて開閉自在に取り付けられている。
【００１２】
また、この前面カバー部材１０のほぼ中央部には略円形の窓部１１が開設され、この窓部１１の外周縁部に形成されるガラス保持枠に装着された２枚のガラスを通して遊技領域を見ることができるように構成されている。また、前面カバー部材１０の窓部１１の上端縁部には、フルカラーの発光ダイオードが内蔵され、「当たり」等の発生を報知したり遊技中に光演出をする電飾ランプ１２が取り付けられている。また、電飾ランプ１２の左右外側には、遊技中のエラーを表示する各エラー表示ランプ１３が取り付けられている。尚、電飾ランプ１２の光源としてはフルカラーＬＥＤ以外のＬＥＤを用いても良い。
【００１３】
また、前面カバー部材１０の裏側には、この前面カバー部材１０の裏側を覆う正面視略四角形の背面カバー部材１４（図４参照）がネジ止めにより取り付けられている。また、後述のようにこの背面カバー部材１４の前面側の窓部１１の周縁部の左右上方に対向する位置には、正面視略逆三角形状で合成樹脂製の透光性材料（例えば、ポリエチレンテレフタレート（ＰＥＴ）、ポリプロピレン（ＰＰ）等）で形成された透明な各容器１５によって構成される装飾部材が配設されている（図６参照）。そして、電飾ランプ１２の左右の窓部１１周辺に設けられた透明な蓋部材としての樹脂製の各カバー部材１６Ａ〜１６Ｄを介して各容器１５を見ることができるように構成されている。
【００１４】
また、各容器１５の各カバー部材１６Ａ〜１６Ｄに対向する内壁には、酸化チタン等の親水性を有する透明な被膜で形成された複数の星形の各図柄表示部１５Ａが設けられている。従って、後述のように各容器１５内に水滴が発生した場合には、各図柄表示部１５Ａは水滴によって濡れた状態となって表示され、一方、各容器１５内の水滴が蒸発した場合には、各図柄表示部１５Ａは表示されない。
【００１５】
尚、各図柄表示部１５Ａを酸化チタン等の親水性を有する被膜でなく、フッ素系撥水剤等の撥水性を有する被膜で形成するようにしてもよい。また、各図柄表示部１５Ａを微小な凹凸面（例えば、算術平均粗さが約３．２μｍである。）で形成してもよい。また、各図柄表示部１５Ａは、星形に限らず、三角形、矩形、五角形等の多角形や円形、リング状等の模様に形成してもよい。また、各図柄表示部１５Ａに替えて、「激熱」、「熱い」等の大当たり獲得の信頼度を表す文字や記号、キャラクタ等を親水性又は撥水性を有する被膜で形成するようにしてもよい。
【００１６】
また、前面カバー部材１０の右側中央部には、前枠３及び前面カバー部材１０を施錠する施錠装置（不図示）を操作するための鍵挿入部１７が設けられている。前面カバー部材１０を開くためには、この鍵挿入部１７に所定のキーを挿入して所定方向に回せば、施錠装置のロック状態が解除されて、前面カバー部材１０のみがオープンされる（図３参照）。
【００１７】
また、この前面カバー部材１０の下側には、賞球ケース２２を介して払い出される賞球を受ける上皿６がスピーカ６Ａを内蔵して樹脂製プレート７に配設されている。また、このプレート７は、左端縁部の上下を軸支されて、前面カバー部材１０を開放後、内側に設けられた不図示のレバーを下げることにより開放できるように取り付けられている。また、この上皿６の中央前面部には、カード式球貸機の操作ボタン６Ｂ、６Ｃ及びカード残高表示装置６Ｄが設けられている。
【００１８】
そして、その上皿６の下には、下皿８が配設される。また、上皿６に連通する不図示の球送り機構を介して上皿６のパチンコ球が操作ハンドル９に連結された不図示の発射装置へ送られるよう構成されている。
【００１９】
また、パチンコ機１の裏側最上段には、上方に開口した賞球タンク２１が不図示の機構セット盤に固定されている。賞球タンク２１は、傾斜した底面に連通孔２１Ａが形成され、その連通孔の下方にはパチンコ球を２列に整列流出し、賞球ケース２２にパチンコ球を送る通路を形成するタンクレール２３が取り付けられている。また、タンクレール２３の下側にはＬＣＤ表示装置等をカバーする樹脂製のセンターカバー２４が取り付けられている。
【００２０】
次に、前面カバー部材１０を構成する前枠部材３１について図３に基づいて説明する。
図３に示すように、前面カバー部材１０の前面部分を構成する不透明な樹脂製の前枠部材３１は、中央部に略円形の窓部１１が開設され、その窓部１１の上端縁部の近傍位置には、電飾ランプ１２が背面側から嵌入されて取り付けられる略横長四角形のランプ取付孔３２が穿設されている。また、窓部１１の外周部のランプ取付孔３２の左右には、透明な各カバー部材１６Ａ〜１６Ｄが背面側から取り付けられる各カバー取付孔３３Ａ〜３３Ｄが穿設されている。
【００２１】
また、各カバー取付孔３３Ａ〜３３Ｄの斜め上側には、各エラー表示ランプ１３が前面側から嵌入されて取り付けられる正面視略Ｓ字形の各エラーランプ取付孔３５が穿設されている。また、各エラーランプ取付孔３５の外周部の上下端部には、各エラー表示ランプ１３を裏側からネジ止めするための各貫通孔３５Ａが穿設されている。
【００２２】
また、窓部１１の上下中央部の左右の外周縁部には、電飾ランプが内蔵される角状の各膨出部３６が形成されている。また、各膨出部３６の下側には、電飾ランプが設けられた基板３８（図５参照）が裏面部に装着される各電飾部３７が前面側に膨出して形成されている。また、この電飾部３７の上下端部の背面部には、各基板３８をネジ止めするための各取付ボス３７Ａが背面方向に立設されている。
【００２３】
また、窓部１１の左右端縁部とこの前枠部材３１の左右他縁部との略中央部の背面部には、背面カバー部材１４をネジ止めするための各取付ボス４０が上下方向にそれぞれ５個ずつほぼ等間隔で立設されている。また、下端部の左右両端の各取付ボス４０の間には背面カバー部材１４をネジ止めするための３個の各取付ボス４０が左右方向にほぼ等間隔で立設されている。また、前枠部材３１の上下端面の左端部には、前枠３に設けられた不図示の回転軸が挿入される各貫通孔３９（図５参照）が穿設されている。
【００２４】
次に、背面カバー部材１４の構成について図４に基づいて説明する。
図４に示すように、背面カバー部材１４は、前枠部材３１の外周縁部の内側に嵌入されるように正面視略四角形で前面側が開放される略箱形に形成されている（図５参照）。また、背面カバー部材１４の前枠部材３１の窓部１１に対向する背面部には、この窓部１１とほぼ同形状の開口部４５が開設されると共に、この開口部４５の周縁部には、背面カバー部材１４の前端部に達する高さの開口リブ４６が立設されている。
【００２５】
また、この開口リブ４６の左右斜め上側には、各容器１５の外周縁部とほぼ同じ形状の各容器収納部４７を形成するように、背面カバー部材１４の開口リブ４６よりも少し低い高さの各容器取付用リブ４７Ａ〜４７Ｈが背面部の前面側に立設されている。また、各容器収納部４７の上下端面部を形成する各容器取付用リブ４７Ｂ、４７Ｄ、４７Ｆ、４７Ｈの外側端部の内側面には、後述の長四角形の光拡散板６１（図５参照）と長手方向にＬＥＤが配設されるＬＥＤ基板６２（図５参照）とを装着するために各基板取付部４９が内側方向に所定高さ突き出して形成されている。
【００２６】
また、各容器収納部４７の上端面部を形成する各容器取付用リブ４７Ｂ、４７Ｆと、左右内側端面部を形成する各容器取付用リブ４７Ｃ、４７Ｇとのそれぞれの外側端面部近傍位置には、側面視略Ｌ字形の各押えレバー４８Ａ〜４８Ｄが回動可能に取り付けられている。この各押さえレバー４８Ａ〜４８Ｄの背面部前面側からの高さ寸法は、各容器１５の厚さ寸法にほぼ等しく形成され、各容器収納部４７側に回動した場合には、各容器１５の前面部を押さえるように構成されている。また、開口リブ４６の上端部の上側には、後述のソレノイドユニット６３（図５参照）を取り付けるための４個の各ソレノイド取付ボス６４が背面部前面側に立設されている。
【００２７】
また、開口リブ４６の左下側には、各容器１５内に所定圧力でエアーを送る加圧用のエアーポンプ５５（図６参照）の外周縁部とほぼ同じ形状のエアーポンプ収納部を形成するように、背面カバー部材１４の開口リブ４６よりも少し低い高さの各エアーポンプ取付用リブ５５Ａ〜５５Ｄが背面部の前面側に立設されている。また、各エアーポンプ取付用リブ５５Ａ、５５Ｄの内側には、エアーポンプ５５をネジ止めするための各取付ボス５６が背面部の前面側に立設されている。
【００２８】
また、背面カバー部材１４の左上角部に設けられる段差部には、前面カバー部材１０を回転可能に軸支する軸が挿入される円筒状の支持ボス５７が形成されている。また、背面カバー部材１４の背面部には、前枠部材３１の各取付ボス４０に対向する位置にネジが挿入される各貫通孔５０が穿設されている。そして、適宜複数のリブが立設されている。
【００２９】
次に、前面カバー部材１０の組み立てについて図５及び図６に基づいて説明する。
先ず、背面カバー部材ユニット６６の組み立てについて説明する。
図５及び図６に示すように、ソレノイド軸７１にゴム製又は樹脂製のソレノイドキャップ７２を嵌挿しつつソレノイド本体７０に挿入する。そして、このソレノイド軸７１の先端部にソレノイドゴム７３を接着する。その後、このソレノイド本体７０をソレノイド台７４にネジ止めにより取り付けてプッシュ型ソレノイドを構成し、このソレノイド台７４を背面カバー部材１４の各ソレノイド取付ボス６４にネジ止めする。そして、エアーポンプ５５を開口リブ４６の左斜め下側に立設される各取付ボス５６にネジ止めして取り付ける。
【００３０】
続いて、各容器１５を背面カバー部材１４の各容器収納部４７に嵌め込み、各押えレバー４８Ａ〜４８Ｄを回動して各容器１５を固定する。そして、各容器１５の左右方向外側端面部に光拡散板６１を当接させつつ、この光拡散板６１の上下端縁部を各基板取付部４９に挿入する。また、この光拡散板６１の左右方向外側に対向するようにＬＥＤ基板６２の上下端縁部を各基板取付部４９に挿入する。
【００３１】
そして、エアーポンプ５５のエアー供給口にエアーチューブ７６の一端側を接続する。また、このエアーチューブ７６の他端側は、二股に分かれており、それぞれの端部は、各容器１５の上端面に形成されるエアーチューブ挿入口７７からこの容器１５のほぼ底面近傍まで挿入されている。
【００３２】
また、各容器１５内に挿入されるエアーチューブ７６の他端側は、このエアーチューブ７６にキャップ８３（図７参照）とＯリング（不図示）を差し込み、このキャップ８３をエアーチューブ挿入口７７の先端部に螺着することにより、Ｏリングがエアーチューブ挿入口７７の先端部とキャップ８３の内側で挟み込まれ、エアーチューブ挿入口７７の先端部が密封されると共に、エアーチューブ７６の他端側がエアーチューブ挿入口７７に固定される。一方、このキャップ８３をエアーチューブ挿入口７７から取り外すことにより、各容器１５からエアーチューブ７６を抜き取ることが可能となる。
【００３３】
また、各容器１５の上端面に形成される排気口７８には、それぞれ排気チューブ７９の一端が接続されている。そして、この各排気チューブ７９の他端側は、ソレノイド台７４の上側にて、二股ストロー８０の二股部の各一端部に接続されている。一方、この二股ストロー８０の他端部は、ソレノイド台７４の上端部に挿入され、ソレノイドゴム７３の上端面と所定距離（例えば、約３ｍｍの距離である。）だけ離間して対向している。
【００３４】
また、各容器１５の上端面に形成される各排気口７８に挿入される各排気チューブ７９の一端側は、この排気チューブ７９にキャップ８６（図７参照）とＯリング（不図示）を差し込み、このキャップ８６を排気口７８の先端部に螺着することにより、Ｏリングが排気口７８とキャップ８６の内側で挟み込まれ、排気口７８の先端部が密封されると共に、排気チューブ７９の一端側が排気口７８に固定される。一方、このキャップ８６を排気口７８から取り外すことにより、各容器１５から排気チューブ７９を外すことが可能となる。
【００３５】
他方、図５に示すように、前枠部材３１の各ランプ取付孔３５に、各エラー表示ランプ１３を前面側から嵌め込み、各貫通孔３５Ａを介してネジ止めする。また、ランプ取付孔３２に背面側から電飾ランプ１２を嵌め込んで装着する。そして、各カバー取付孔３３Ａ〜３３Ｄに背面側から透明な各カバー部材１６Ａ〜１６Ｄを嵌め込んで装着する。更に、窓部１１の左右斜め下側に設けられる各電飾部３７の背面部に、ＬＥＤランプが前面側に配設された各基板３８を各取付ボス３７Ａを介してネジ止めにより取り付ける。
その後、この前枠部材３１の各取付ボス４０に背面カバー部材ユニット６６の各貫通孔５０が対向するように配置して各貫通孔５０に螺子を挿入して背面側からネジ止めし、前面カバー部材１０を構成する。
【００３６】
次に、上記のように構成された前面カバー部材１０の各容器１５内に水蒸気を凝結させて水滴を発生させる駆動制御について図７に基づいて説明する。尚、図７には左側の容器１５内に水蒸気が凝結して水滴が発生する状態を示しているが、右側に配置される容器１５内にも同様に水蒸気が凝結して水滴が発生する。
【００３７】
図７に示すように、所定遊技状態になった場合には（例えば、リーチ表示状態になった場合や大当たりが発生する確率が高確率になる確率変動状態になった場合等である。）、エアーポンプ５５に通電されると共に、ソレノイド本体７０へ通電される。これにより、ソレノイド本体７０に通電された場合は、ソレノイド軸７１が二股ストロー８０側方向へ（図７中、上方向である。）吸引され、この二股ストロー８０の他端部にソレノイドゴム７３が押し当てられて、密閉される。また、エアーポンプ５５から供給されるエアーは、エアーチューブ７６を介して各容器１５の底部近傍に排気され、各容器１５内の空気圧が所定圧力（例えば、約０．３ＭＰａである。）まで上昇すると共に、各容器１５内の温度が上昇する。
【００３８】
そして、各容器１５内の空気圧が所定圧力に達した場合には、エアーポンプ５５の通電を停止すると共に、これとほぼ同時にソレノイド本体７０への通電を停止する。これにより、ソレノイドゴム７３が二股ストロー８０の他端部からはずれて、開放されるため、各容器１５内の空気は、急激に膨張して、つまり、断熱膨張を起こして該各容器１５内の空気の温度が露点以下に下がって水蒸気が凝結し、水滴が発生する。尚、パチンコホール内の空気中のチリやタバコの煙が凝結核となって、各容器１５内の飽和水蒸気量を超えた水蒸気を容易に凝結させることが可能となる。
【００３９】
また、各容器１５の各カバー部材１６Ａ〜１６Ｄに対向する内壁に形成された各図柄表示部１５Ａは、水滴によって濡れた状態となって表示される。また、各容器１５内に水滴を発生させた場合は、各ＬＥＤ基板６２が起動され、このＬＥＤ基板６２上に配置される各ＬＥＤ６２Ａが点灯駆動され、各光拡散板６１を介して各容器１５内の水滴や各図柄表示部１５Ａが照らされて、遊技者は透明な各カバー部材１６Ａ〜１６Ｄを介して、各容器１５内の水滴や各図柄表示部１５Ａを見ることができる。
【００４０】
その後、所定遊技状態が終わった場合には、各ＬＥＤ基板６２の駆動を停止すると共に、エアーポンプ５５だけを所定時間駆動して（例えば、約２０秒間駆動する。）、エアーチューブ７６を介して各容器１５の底部近傍に排気する。これにより、エアーチューブ７６の他端側から各容器１５内に供給されるエアーは、各容器１５の排気口７８に一端側が接続される排気チューブ７９及び二股ストロー８０を介して大気中に排気される。このため、各容器１５内の水滴を急速に蒸発させて乾燥させることができると共に、各カバー部材１６Ａ〜１６Ｄを介して各図柄表示部１５Ａを見えなくすることができる。
【００４１】
ここで、各容器１５は、装飾部材を構成する。また、エアーポンプ５５、エアーチューブ７６、各排気チューブ７９、二股ストロー８０、及びソレノイドユニット６３は、水滴発生手段を構成する。
【００４２】
従って、本実施形態によれば、各容器１５内に液体を充填する必要がないため、パチンコ機１内に配置される電気制御回路部品の漏電等による故障や金属部品の錆び付き等を確実に防止することができる。また、透明な各容器１５内に水滴を発生させることによって、各容器１５よりも奥側を遊技者に見えにくくしたり、各容器１５の各カバー部材１６Ａ〜１６Ｄに対向する内壁に形成された各図柄表示部１５Ａを水滴によって表示することが可能となる。
【００４３】
また、各ＬＥＤ６２Ａを点灯駆動することによって、各容器１５内に発生した水滴や各図柄表示部１５ＡにＬＥＤ光を照射して種々の演出を行うことが可能となり、従来にない斬新な演出を行うことが可能となる。このため、遊技状態等に合わせてエアーポンプ５５及びソレノイド本体７０を駆動制御して、各容器１５内に水滴を発生させると共に、各ＬＥＤ６２を駆動制御することによって、この水滴による演出を更に効果的に行うことが可能となる。尚、ソレノイド本体７０に代えてモータを使用しても良い。
【００４４】
また、エアーポンプ５５、エアーチューブ７６、排気チューブ７９、二股ストロー８０、ソレノイド本体７０、各光拡散板６１、各ＬＥＤ基板６２等は、背面カバー部材１４の内側面に取り付けられているため、背面カバー部材１４に各容器１５やエアーポンプ５５等を予め取り付けてユニット化することができ、組立工数の削減化を図ることができる。
【００４５】
尚、本発明は、前記実施形態に限定されるものではなく、本発明の要旨を逸脱しない範囲内で種々の改良、変形が可能であることは勿論である。例えば、以下のようにしてもよい。
【００４６】
（Ａ）エアーポンプ５５に替えて注射器等のシリンダを取り付け、このシリンダ内のピストンをエアーシリンダ等で急激に引くようにしてもよい。そして、ソレノイド本体７０に通電すると共に、このシリンダ内のピストンをエアーシリンダ等で急激に引くことによって、各容器１５内の空気を、急激に膨張させて、つまり、断熱膨張を起こして該各容器１５内の空気の温度を露点以下に下げて水蒸気を凝結させ、水滴を発生させるようにしてもよい。
【００４７】
（Ｂ）エアーポンプ５５及びエアーチューブ７６を無くし、各容器１５の下端部等を伸縮可能な蛇腹状に形成して、この蛇腹状の部分をエアーシリンダ等で急激に引っ張るようにしてもよい。そして、ソレノイド本体７０に通電すると共に、この蛇腹状の部分をエアーシリンダ等で急激に引っ張ることによって、各容器１５の体積を急激に大きくし、つまり、各容器１５内の空気を断熱膨張させて該各容器１５内の空気の温度を露点以下に下げて水蒸気を凝結させ、水滴を発生させるようにしてもよい。
【００４８】
（Ｃ）エアーポンプ５５及びエアーチューブ７６を無くし、各容器１５の背面側に平板状のペルチェ素子を貼着するようにしてもよい。そして、ペルチェ素子を駆動して各容器１５内を急激に加熱した後、ソレノイド本体７０に通電すると共に、ペルチェ素子を駆動して各容器１５内を急冷することによって、該各容器１５内の空気の温度を露点以下に下げて水蒸気を凝結させ、水滴を発生させるようにしてもよい。
【００４９】
（Ｄ）各容器１５内に小型ファンを配置し、この小型ファンを駆動して各容器１５内に発生した水滴を各図柄表示部１５Ａに向けて強制的に移動させるようにしてもよい。
【００５０】
（Ｅ）遊技領域に設けられた液晶ディスプレイの前面に正面視矩形で薄型の容器１５を配置するようにしてもよい。また、アクリル樹脂やポリプロピレン（ＰＰ）等の透明部材からなる透明遊技盤の後側に液晶ディスプレイが設けられている場合には、この透明遊技盤と液晶ディスプレイの画面との間に正面視矩形で薄型の容器１５を配置するようにしてもよい。そして、遊技状態に合わせてエアーポンプ５５及びソレノイド本体７０を駆動制御することによって、この薄型の容器１５内に水滴を発生させ、例えば、シャッタのように使用してもよい。
【符号の説明】
【００５１】
１            パチンコ機
１０          前面カバー部材
１４          背面カバー部材
１５          容器
１５Ａ        図柄表示部
３１          前枠部材
５５          エアーポンプ
６１          光拡散板
６２          ＬＥＤ基板
７０          ソレノイド本体
７３          ソレノイドゴム
７６          エアーチューブ
７７          エアーチューブ挿入口
７８          排気口
７９          排気チューブ
８０          二股ストロー
【図１】
2011045404.tif 000003
【図２】
2011045404.tif 000004
【図３】
2011045404.tif 000005
【図４】
2011045404.tif 000006
【図５】
2011045404.tif 000007
【図６】
2011045404.tif 000008
【図７】
2011045404.tif 000009